(57)【特許請求の範囲】
【請求項１】
第一方向に並んで配置された複数の蓄電素子を備える蓄電装置であって、
前記複数の蓄電素子のうちの少なくとも２つの蓄電素子それぞれの電極端子と接続されるバスバーと、
前記バスバーに、前記複数の蓄電素子とは反対側から当接する押さえ部を有するバスバーフレームとを備え、
前記バスバーフレームは、前記蓄電装置が備える、前記バスバーフレーム以外の部材である他の部材によって、前記複数の蓄電素子とは反対側への移動が規制される規制部を有し、
前記規制部は、前記他の部材によって前記移動が規制される第一規制部と、前記他の部材と同一または異なる他の部材によって前記移動が規制される第二規制部とを含み、
前記第一規制部及び前記第二規制部は、前記第一方向と交差する第二方向に並び、かつ、前記バスバーを挟んで互いに反対側に配置されている
蓄電装置。
【請求項２】
前記第一規制部は、前記複数の蓄電素子の、前記第二方向における側方に位置し、
前記第二規制部は、前記複数の蓄電素子の、前記電極端子が配置された面側の側方に位置する
請求項１記載の蓄電装置。
【請求項３】
第一方向に並んで配置された複数の蓄電素子を備える蓄電装置であって、
前記複数の蓄電素子のうちの少なくとも２つの蓄電素子それぞれの電極端子と接続されるバスバーと、
前記バスバーに、前記複数の蓄電素子とは反対側から当接する押さえ部を有するバスバーフレームとを備え、
前記バスバーフレームは、前記蓄電装置が備える、前記バスバーフレーム以外の部材である他の部材によって、前記複数の蓄電素子とは反対側への移動が規制される規制部を有し、
さらに、前記少なくとも２つの蓄電素子のうちの、互いに隣り合う２つの蓄電素子の間に配置される第一スペーサを備え、
前記規制部は、前記他の部材である前記第一スペーサによって前記移動が規制される
蓄電装置。
【請求項４】
第一方向に並んで配置された複数の蓄電素子を備える蓄電装置であって、
前記複数の蓄電素子のうちの少なくとも２つの蓄電素子それぞれの電極端子と接続されるバスバーと、
前記バスバーに、前記複数の蓄電素子とは反対側から当接する押さえ部を有するバスバーフレームとを備え、
前記バスバーフレームは、前記蓄電装置が備える、前記バスバーフレーム以外の部材である他の部材によって、前記複数の蓄電素子とは反対側への移動が規制される規制部を有し、
さらに、前記複数の蓄電素子に対して前記第一方向における拘束力を付与する拘束部材を備え、
前記規制部は、前記他の部材が有する第一突出部と係合することで前記移動が規制され、
前記拘束部材は、前記第一突出部と当接することで、前記第一突出部を挟んで前記拘束部材とは反対側への移動が規制される
蓄電装置。
【請求項５】
さらに、前記少なくとも２つの蓄電素子のうちの、互いに隣り合う２つの蓄電素子の間に配置される第一スペーサであって、前記他の部材であり、かつ、前記第一突出部を有する第一スペーサを備える
請求項４記載の蓄電装置。
【請求項６】
さらに、前記少なくとも２つの蓄電素子のうちの１つの蓄電素子を挟んで前記第一スペーサと隣り合う第二スペーサを備え、
前記第二スペーサは、前記第一スペーサの前記第一突出部と前記第一方向に並ぶ位置に配置された第二突出部であって、前記第一突出部と係合する第二突出部を有する
請求項５記載の蓄電装置。
【発明の詳細な説明】
【技術分野】
【０００１】
本発明は、複数の蓄電素子を備える蓄電装置に関する。
【背景技術】
【０００２】
従来、電力貯蔵用途や電源用途などに使用される蓄電装置であって、複数の蓄電素子を備える蓄電装置が存在する。このような蓄電装置において、隣接する蓄電素子間はバスバーと呼ばれる金属製の部材で電気的に接続されている。
【０００３】
特許文献１には、複数の電池モジュールを備えるバッテリ装置において、電池モジュールの金属端子にボルトを仮固定することで、電極へのバスバーの取り付けを容易に行うことができる旨が記載されている。
【先行技術文献】
【特許文献】
【０００４】
【特許文献１】特開２０１１−０６６０１２号公報
【発明の概要】
【発明が解決しようとする課題】
【０００５】
本発明は、複数の蓄電素子を備える蓄電装置であって、蓄電素子の電極端子に対してバスバーを接合しやすくする蓄電装置を提供することを目的とする。
【課題を解決するための手段】
【０００６】
上記目的を達成するために、本発明の一態様に係る蓄電装置は、第一方向に並んで配置された複数の蓄電素子を備える蓄電装置であって、前記複数の蓄電素子のうちの少なくとも２つの蓄電素子それぞれの電極端子と接続されるバスバーと、前記バスバーに、前記複数の蓄電素子とは反対側から当接する押さえ部を有するバスバーフレームとを備え、前記バスバーフレームは、前記蓄電装置が備える、前記バスバーフレーム以外の部材である他の部材によって、前記複数の蓄電素子とは反対側への移動が規制される規制部を有する。
【０００７】
この構成によれば、複数の蓄電素子を備える蓄電装置において、少なくとも２つの蓄電素子を電気的に接続するバスバーには、複数の蓄電素子の方向に押さえるように、バスバーフレームの押さえ部が当接する。さらに、バスバーフレームの規制部が、複数の蓄電素子とは反対側への移動が規制され、その結果、バスバーフレームの同方向への移動が規制される。
【０００８】
つまり、バスバーフレームは、蓄電装置の製造時において、バスバーと接合されるべき少なくとも２つの蓄電素子それぞれの電極端子にバスバーを押し当てるように、バスバーに作用する。そのため、バスバーフレームにより、バスバーを、正規の位置において正規の姿勢に維持することができる。また、バスバー３２の接合作業（レーザ溶接等）を精度よく実行することもできる。
【０００９】
また、バスバーフレームは、バスバーに構造的に関与する部材であり、例えば、複数のバスバーの間、または、バスバーと他の金属部材との間における絶縁の役割を果たすよう構成することも可能である。言い換えると、上記絶縁等の他の用途の部材に、バスバーの位置規制の役割を担わせることで、本態様におけるバスバーフレームを実現することも可能である。この場合、バスバーの位置規制のための専用部品を用意する必要がなく、このことは、例えば、蓄電装置の構造の簡素化または生産効率の向上等の観点から有利である。
【００１０】
このように、本態様の蓄電装置によれば、蓄電素子の電極端子に対してバスバーを接合しやすくする蓄電装置を提供することができる。
【００１１】
また、本発明の一態様に係る蓄電装置において、前記規制部は、前記他の部材によって前記移動が規制される第一規制部と、前記他の部材と同一または異なる他の部材によって前記移動が規制される第二規制部とを含み、前記第一規制部及び前記第二規制部は、前記第一方向と交差する第二方向に並び、かつ、前記バスバーを挟んで互いに反対側に配置されているとしてもよい。
【００１２】
この構成によれば、バスバーを挟んで配置された第一規制部及び第二規制部の移動が規制されることで、バスバーフレームに、バスバーをバランスよく押さえさせることができる。これにより、例えば、蓄電素子の電極端子と接合される際におけるバスバーの位置規制がより安定的かつ精度よく行われる。
【００１３】
また、本発明の一態様に係る蓄電装置において、前記第一規制部は、前記複数の蓄電素子の、前記第二方向における側方に位置し、前記第二規制部は、前記複数の蓄電素子の、前記電極端子が配置された面側の側方に位置するとしてもよい。
【００１４】
この構成によれば、例えば、蓄電装置内における複数の蓄電素子の周囲の空間を有効に利用して、バスバーフレームに、バスバーをバランスよく押さえさせることができる。
【００１５】
また、本発明の一態様に係る蓄電装置において、一対の前記第一規制部及び前記第二規制部は、前記バスバーフレームにおいて、前記第一方向に複数並んで配置されているとしてもよい。
【００１６】
この構成によれば、バスバーフレームが、複数の蓄電素子の並び方向（第一方向）においてバランスよく位置規制されるため、バスバーフレームの、複数の蓄電素子に対する位置の安定性が向上する。その結果、バスバーフレームに、第一方向に並ぶ複数のバスバーを安定的に押さえさせることが可能となる。
【００１７】
また、本発明の一態様に係る蓄電装置はさらに、前記少なくとも２つの蓄電素子のうちの、互いに隣り合う２つの蓄電素子の間に配置される第一スペーサを備え、前記規制部は、前記他の部材である前記第一スペーサによって前記移動が規制されるとしてもよい。
【００１８】
この構成によれば、第一スペーサに、バスバーフレームの位置を規制させることができ、かつ、第一スペーサは、互いに隣り合う２つの蓄電素子の間であれば、複数の蓄電素子の並びのうちのいずれかに配置可能である。そのため、例えば、バスバーフレームの位置規制のための専用部品を用意する必要がなく、かつ、バスバーフレームの位置規制のための部位の位置の自由度が向上する。
【００１９】
また、例えば、第一スペーサに、上記の第一規制部及び第二規制部のそれぞれと係合する部位を設けることで、バスバーフレームの安定的な位置規制のための構造の簡素化が図られる。
【００２０】
また、本発明の一態様に係る蓄電装置はさらに、前記複数の蓄電素子に対して前記第一方向における拘束力を付与する拘束部材を備え、前記規制部は、前記他の部材が有する第一突出部と係合することで前記移動が規制され、前記拘束部材は、前記第一突出部と当接することで、前記第一突出部を挟んで前記拘束部材とは反対側への移動が規制されるとしてもよい。
【００２１】
この構成によれば、バスバーフレームの規制部は、第一突出部と係合し、第一突出部は、拘束部材の位置を規制することができる。つまり、第一突出部が、バスバーフレーム及び拘束部材の双方の位置規制を行う部位として機能する。これにより、バスバー等の部材が精度よく組み込まれた品質の高い蓄電装置を、簡易な構成で実現することができる。
【００２２】
また、本発明の一態様に係る蓄電装置はさらに、前記少なくとも２つの蓄電素子のうちの、互いに隣り合う２つの蓄電素子の間に配置される第一スペーサであって、前記他の部材であり、かつ、前記第一突出部を有する第一スペーサを備えるとしてもよい。
【００２３】
この構成によれば、２つの蓄電素子の間に配置される第一スペーサに第一突出部が備えられる。そのため、例えば、バスバーフレーム及び拘束部材の位置規制のための専用部品を用意する必要がなく、かつ、これらの位置規制ための部位の位置の自由度が向上する。
【００２４】
また、本発明の一態様に係る蓄電装置はさらに、前記少なくとも２つの蓄電素子のうちの１つの蓄電素子を挟んで前記第一スペーサと隣り合う第二スペーサを備え、前記第二スペーサは、前記第一スペーサの前記第一突出部と前記第一方向に並ぶ位置に配置された第二突出部であって、前記第一突出部と係合する第二突出部を有するとしてもよい。
【００２５】
この構成によれば、第一方向に並ぶ第一突出部及び第二突出部が、少なくとも、第一スペーサ及び第二スペーサの相互間の位置規制、並びに、バスバーフレーム及び拘束部材の位置規制のための部位として機能する。つまり、簡素な構成で、蓄電装置が備える複数の部材間における互いの位置規制が実現される。
【発明の効果】
【００２６】
本発明によれば、蓄電素子の電極端子に対してバスバーを接合しやすくする蓄電装置を提供することができる。
【図面の簡単な説明】
【００２７】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電ユニットの構成を示す第１の斜視図である。
【図４】実施の形態に係る蓄電素子及びスペーサの構成概要を示す斜視図である。
【図５】実施の形態に係るバスバーフレームの構成概要を示す斜視図である。
【図６】実施の形態に係るバスバーフレームの構成概要を示す平面図である。
【図７】実施の形態に係るバスバーフレームの、複数の蓄電素子へ取り付けの様子を示す部分断面図である。
【図８】実施の形態に係る蓄電ユニットの構成を示す第２の斜視図である。
【図９Ａ】バスバーフレームの規制部およびスペーサの係合部の位置関係を示す分解斜視図である。
【図９Ｂ】バスバーフレームの規制部がスペーサの係合部と係合した状態を示す断面図である。
【図１０】実施の形態の変形例に係る蓄電ユニットの構成概要を示す斜視図である。
【図１１】実施の形態の変形例に係る蓄電ユニットの分解斜視図である。
【図１２】実施の形態の変形例に係るスペーサの突出部付近を示す拡大斜視図である。
【図１３】実施の形態の変形例における規制部と突出部とが係合している状態を示す拡大斜視図である。
【発明を実施するための形態】
【００２８】
以下、図面を参照しながら、本発明の実施の形態に係る蓄電装置について説明する。なお、各図は、実施の形態またはその変形例に係る蓄電装置の説明のための図であり、必ずしも厳密に図示したものではない。
【００２９】
また、以下で説明する実施の形態は、本発明の一具体例を示すものである。以下の実施の形態で示される数値、形状、材料、構成要素、構成要素の配置位置及び接続形態、組み立て方法、組み立ての順序などは、一例であり、本発明を限定する主旨ではない。また、以下の実施の形態に係る構成要素のうち、最上位概念を示す独立請求項に記載されていない構成要素については、任意の構成要素として説明される。
【００３０】
（実施の形態）
まず、蓄電装置１の構成概要について、図１及び図２を用いて説明する。
【００３１】
図１は、実施の形態に係る蓄電装置１の外観を示す斜視図である。図２は、実施の形態に係る蓄電装置１を分解した場合の各構成要素を示す分解斜視図である。
【００３２】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。
【００３３】
蓄電装置１は、外部からの電気を充電し、また外部へ電気を放電することができる装置である。例えば、蓄電装置１は、電力貯蔵用途や電源用途などに使用される電池モジュールである。
【００３４】
これらの図に示すように、蓄電装置１は、第一外装体１１及び第二外装体１２からなる外装体１０と、外装体１０内方に収容される蓄電ユニット３０及び電気機器４０とを備えている。
【００３５】
外装体１０は、蓄電ユニット３０及び電気機器４０の外方に配置される、蓄電装置１の外装体を構成する矩形状（箱状）の容器（モジュールケース）である。つまり、外装体１０は、蓄電ユニット３０及び電気機器４０を所定の位置に配置し、蓄電ユニット３０及び電気機器４０を衝撃などから保護する。
【００３６】
また、外装体１０は、例えばポリカーボネートまたはポリプロピレン（ＰＰ）等の絶縁性の樹脂などにより構成されており、蓄電ユニット３０及び電気機器４０が外部の金属部材などに接触することを回避する。
【００３７】
ここで、外装体１０は、外装体１０の蓋体を構成する第一外装体１１と、外装体１０の本体を構成する第二外装体１２とを有している。第一外装体１１は、第二外装体１２の開口を閉塞する扁平な矩形状のカバー部材であり、正極外部端子２１と負極外部端子２２とが設けられている。蓄電装置１は、この正極外部端子２１と負極外部端子２２とを介して、外部からの電気を充電し、また外部へ電気を放電する。また、第二外装体１２は、開口が形成された有底矩形筒状のハウジングであり、蓄電ユニット３０及び電気機器４０を収容する。
【００３８】
蓄電ユニット３０は、１以上の蓄電素子１００を有しており、第一外装体１１に設けられた正極外部端子２１と負極外部端子２２とに接続される。本実施の形態では、図２に示すように、蓄電ユニット３０は、複数の蓄電素子１００が横置きになった状態でＺ軸方向に積み重ねられて、第二外装体１２内に配置される。そして、蓄電ユニット３０は、上方から第一外装体１１が被せられて、外装体１０の内方に収容される。なお、蓄電ユニット３０の詳細な構成の説明については、図３等を用いて後述する。
【００３９】
電気機器４０は、内方に回路基板やリレーなどが配置された矩形状の機器であり、蓄電ユニット３０の側方（Ｘ軸方向プラス側）に配置されている。本実施の形態では、図２に示すように、電気機器４０は、回路基板が縦置きになった状態でＺ軸方向に立てられて、第二外装体１２内に配置される。そして、電気機器４０は、上方から第一外装体１１が被せられて、外装体１０の内方に収容される。
【００４０】
なお、電気機器４０に備えられる回路基板は、図示しない配線（リード線）によって蓄電ユニット３０内の蓄電素子１００の正極端子または負極端子に接続され、例えば、当該蓄電素子１００の充電状態や放電状態（電圧、温度などの電池状態）などを取得し、監視し、制御する。
【００４１】
次に、蓄電ユニット３０の構成について、図３〜図９Ｂを用いて詳細に説明する。
【００４２】
図３は、実施の形態に係る蓄電ユニット３０の構成を示す第１の斜視図である。具体的には、図３は、複数の蓄電素子１００とバスバーフレーム１３０とを分離した状態の蓄電ユニット３０を斜め上から見た場合の分解斜視図である。
【００４３】
図４は、実施の形態に係る蓄電素子１００及びスペーサ２００の構成概要を示す斜視図である。具体的には、Ｚ軸方向に並ぶ複数の蓄電素子１００及び複数のスペーサ２００の一部を分離した状態を示す分解斜視図である。
【００４４】
なお、図３及び図４以降の図では、説明の便宜のため、Ｙ軸方向を上下方向として示しており、具体的には、Ｙ軸方向プラス側を上方向、Ｙ軸方向マイナス側を下方向として示している。しかし、実際の使用態様において、Ｙ軸方向が上下方向になるとは限らない。このことは、後述する実施の形態の変形例についても同じである。
【００４５】
図３に示すように、蓄電ユニット３０は、複数の蓄電素子１００（本実施の形態では、８つの蓄電素子１００）と、バスバーフレーム１３０とを備えている。
【００４６】
複数の蓄電素子１００は、図４に示すように、第一方向（本実施の形態におけるＺ軸方向）に並んで配置されており、互いに隣り合う２つの蓄電素子１００の間にはスペーサ２００が配置されている。つまり、本実施の形態では、Ｚ軸方向に並ぶ８つの蓄電素子１００に対し、７つのスペーサ２００が配置されている。
【００４７】
また、複数の蓄電素子１００は、一対の挟持部材１９０によって、並び方向（Ｚ軸方向）の両側から挟み込まれて保持されている。挟持部材１９０は、例えばステンレスまたはアルミニウム等の金属製の部材であるが、隣り合う蓄電素子１００との間に、絶縁性の部材が配置されることで、当該蓄電素子１００との間の絶縁性が確保されている。
【００４８】
なお、複数の蓄電素子１００には、一対の挟持部材１９０を介して、１以上の拘束部材による拘束力が付与されているが、説明の便宜のため、拘束部材の図示及び詳細な説明については省略する。
【００４９】
蓄電素子１００は、電気を充電し、また、電気を放電することのできる二次電池（単電池）であり、より具体的には、リチウムイオン二次電池などの非水電解質二次電池である。蓄電素子１００は、扁平な矩形状を有しており、少なくとも１つのスペーサ２００に隣接して配置されている。
【００５０】
なお、蓄電素子１００は、非水電解質二次電池には限定されず、非水電解質二次電池以外の二次電池であってもよいし、キャパシタであってもよい。
【００５１】
本実施の形態に係る蓄電素子１００は、容器１１０、正極端子１０２及び負極端子１０３を備えている。また、容器１１０内方には、電極体、正極集電体及び負極集電体が配置されている。
【００５２】
容器１１０は、金属からなる矩形筒状で底を備える本体と、当該本体の開口を閉塞する金属製の蓋部とで構成されている。容器１１０は、電極体等を内部に収容後、蓋部と本体とが溶接等されることにより、内部を密封することができるものとなっている。
【００５３】
容器１１０の蓋部には、正極端子１０２、負極端子１０３、及び安全弁１０４が備えられている。容器１１０の内圧が上昇した場合、安全弁１０４が開き、容器１１０からガスが放出される。
【００５４】
蓄電素子１００が備える電極体の種類に特に限定はないが、例えば、正極と負極との間にセパレータが挟み込まれるように層状に配置されたものが巻回されて形成された巻回型の電極体が容器１１０に収容されている。
【００５５】
正極端子１０２は、正極集電体を介して、電極体の正極に電気的に接続された電極端子であり、負極端子１０３は、負極集電体を介して、電極体の負極に電気的に接続された電極端子である。
【００５６】
つまり、正極端子１０２及び負極端子１０３は、電極体に蓄えられている電気を蓄電素子１００の外部空間に導出し、また、電極体に電気を蓄えるために蓄電素子１００の内部空間に電気を導入するための金属製の電極端子である。
【００５７】
この正極端子１０２及び負極端子１０３を介して、蓄電ユニット３０内の複数の蓄電素子１００が直列または並列に接続される。
【００５８】
複数の蓄電素子１００の電気的な接続の態様に特に限定はないが、本実施の形態では、並列に接続された蓄電素子１００のペアが４つ形成され、４つのペアが直列に接続されている。また、蓄電素子１００間の電気的な接続、並びに、８つの蓄電素子１００と正極外部端子２１及び負極外部端子２２との電気的な接続は、バスバー３２を介して行われている。
【００５９】
スペーサ２００は、隣り合う２つの蓄電素子１００の間に配置され、当該２つの蓄電素子１００間を絶縁する樹脂等で形成された絶縁性の板状部材である。
【００６０】
また、スペーサ２００は、蓄電素子１００の正面側または背面側の略半分（Ｚ軸方向に２つに分けた場合の略半分）を覆うように、形成されている。つまり、スペーサ２００の正面側および背面側の両面（Ｚ軸方向の両面）には凹部が形成されており、当該凹部に上記の蓄電素子１００の略半分が挿入される。
【００６１】
そのため、スペーサ２００と、当該スペーサ２００に隣接する蓄電素子１００とが、互いに側方への移動（ＸＹ平面に平行な方向への移動）を規制しあう関係となる。また、この関係が、交互に配置された蓄電素子１００およびスペーサ２００の並び方向（Ｚ軸方向）で連続する。
【００６２】
なお、本実施の形態では、バスバーフレーム１３０の位置を規制することのできる係合部が各スペーサ２００に設けられている。具体的には、スペーサ２００は、図４における手前側（Ｘ軸方向プラス側）に突出した第一係合部２１１と、図４における上方（Ｙ軸方向プラス側）に突出した２つの第二係合部２１２とを有している。なお、それぞれのスペーサ２００は、図７における奥側にもＸ軸方向マイナス側に突出した第一係合部２１１を有している。
【００６３】
スペーサ２００は、例えばポリカーボネートまたはＰＰの絶縁性の樹脂であるが、絶縁性を有する部材であればどのような材質で形成されていてもかまわない。
【００６４】
次に、実施の形態に係るバスバーフレーム１３０及びその周辺の構造について、図５〜図９Ｂを用いて説明する。
【００６５】
図５は、実施の形態に係るバスバーフレーム１３０の構成概要を示す斜視図である。
【００６６】
図６は、実施の形態に係るバスバーフレーム１３０の構成概要を示す平面図である。
【００６７】
図７は、実施の形態に係るバスバーフレーム１３０の、複数の蓄電素子１００への取り付けの様子を示す部分断面図である。
【００６８】
なお、図５では、バスバーフレーム１３０の構成を視認し易いように、バスバーフレーム１３０から５つのバスバー３２を分離した状態が図示されている。
【００６９】
また、図６では、バスバーフレーム１３０のおよそ半分の部分（Ｘ軸方向プラス側の部分）が図示されている。さらに、図６では、バスバーフレーム１３０においてＹ軸方向に貫通した部分を識別し易いように、バスバーフレーム１３０の裏側（Ｙ軸方向マイナス側）にドットを付した領域を図示している。
【００７０】
また、図７では、図５における手前側（Ｘ軸方向プラス側）の３つのバスバー３２のうちの中央のバスバー３２周辺の、バスバーフレーム１３０およびスペーサ２００の断面を図示している。なお、図７では、バスバー３２及び各蓄電素子１００は、断面図ではなく、Ｘ軸方向プラス側から見た側面図で表している。
【００７１】
本実施の形態に係るバスバーフレーム１３０は、ＰＰ等の絶縁性の樹脂などにより構成されており、各バスバー３２と他の部材との絶縁、蓄電装置１内に配置される各種の配線等の保護、及び、各バスバー３２の位置規制を行うことができる部材である。
【００７２】
図５〜図７に示すように、バスバーフレーム１３０は、バスバー３２に複数の蓄電素子１００とは反対側から当接する押さえ部１３１を有する。本実施の形態では、バスバーフレーム１３０に配置される５つのバスバー３２のそれぞれに、少なくとも２つの押さえ部１３１が当接するように、押さえ部１３１が配置されている。
【００７３】
複数のバスバー３２それぞれは、バスバーフレーム１３０に配置された場合、バスバーフレーム１３０の隔壁部１３３（図６参照）によって、他のバスバー３２等の金属部材から、ＸＺ平面に平行な方向において隔離される。これにより、例えば、蓄電装置１に強い衝撃が与えられた場合において、バスバー３２同士が接触することによる短絡の発生が抑制される。
【００７４】
また、バスバーフレーム１３０は、蓄電装置１の製造時においてバスバー３２のそれぞれを一時的に支持する支持部１３２を有する。具体的には、図６及び図７に示すように、バスバー３２の一部が湾曲することで形成された凹部３２ａに対応する位置に支持部１３２が設けられている。
【００７５】
このような構成のバスバーフレーム１３０に対し、例えば図７の（ａ）に示すように、バスバー３２を、１つ以上の支持部１３２に支持させるように配置する。このとき、バスバー３２は、最終的にバスバー３２の上方から（Ｙ軸方向プラス側から）当接する複数の押さえ部１３１を弾性変形させながら配置される。または、バスバー３２を傾けることで当該複数の押さえ部１３１を越えて、１つ以上の支持部１３２に支持される。
【００７６】
このようにして複数のバスバー３２が配置されたバスバーフレーム１３０は、拘束部材によって一まとまりにされた複数の蓄電素子１００（以下、「蓄電素子１００の集合体」ともいう。）の電極端子の側に配置される。
【００７７】
その結果、図７の（ｂ）に示すように、バスバー３２は、支持されていた１以上の支持部１３２から離れ、少なくとも２つの蓄電素子１００それぞれの電極端子と当接し、かつ、押さえ部１３１が、複数の蓄電素子１００とは反対側（Ｙ軸方向プラス側）から当接する状態となる。
【００７８】
より詳細には、図７の（ｂ）に示すバスバー３２は、左側の２つの蓄電素子１００（第一ペア）それぞれの負極端子１０３と当接し、かつ、右側の２つの蓄電素子１００（第一ペア）それぞれの正極端子１０２と当接する。また、バスバー３２は、これら４つの電極端子とは反対側の面に当接する４つの押さえ部１３１から押圧力を受ける。
【００７９】
この状態において、バスバーフレーム１３０は、複数の蓄電素子１００とは反対側（Ｙ軸方向プラス側）への移動が規制される。その結果、バスバー３２は４つの電極端子に押し当てられることで位置規制（位置決め）され、この状態で、各電極端子とレーザ溶接等の溶接によって接合される。
【００８０】
例えば、図６に示す、バスバーフレーム１３０が有する第二規制部１３６は、直下に配置されたスペーサ２００の第二係合部２１２（図４参照）と係合し、バスバーフレーム１３０のＹ軸方向プラス側への移動を規制する部位として機能する。
【００８１】
なお、第二規制部１３６の側方に存在する貫通孔１３６ａは、直下に配置されたスペーサ２００の第二係合部２１２が貫通する孔であり、第二係合部２１２と係合する機能は有していない。つまり、貫通孔１３６ａは、第二係合部２１２とバスバーフレーム１３０との干渉を避けるための部位として、バスバーフレーム１３０に設けられている。
【００８２】
以下、図８〜図９Ｂを用いて、本実施の形態に係る蓄電装置１が備える、バスバーフレーム１３０の移動を規制するための構造（バスバーフレーム１３０の固定のための構造）の詳細について説明する。
【００８３】
図８は、実施の形態に係る蓄電ユニット３０の構成を示す第２の斜視図である。具体的には、図８は、蓄電素子１００の集合体とバスバーフレーム１３０とを分離した状態の蓄電ユニット３０を斜め下から見た場合の分解斜視図である。また、図８では、挟持部材１９０の図示は省略されている。
【００８４】
図９Ａは、バスバーフレーム１３０の規制部およびスペーサ２００の係合部の位置関係を示す分解斜視図であり、図９Ｂは、バスバーフレーム１３０の規制部がスペーサ２００の係合部と係合した状態を示す断面図である。
【００８５】
なお、図９Ａでは、バスバーフレーム１３０が、スペーサ２００と係合する前の状態を示しており、蓄電素子１００の図示は省略されている。また、図９Ａでは、第一規制部１３４及び第二規制部１３６を明確に示すために、バスバーフレーム１３０を、ＸＹ平面と平行な面で切断した場合の部分的な拡大図を示している。
【００８６】
また、図９Ｂは、互いに係合した状態のバスバーフレーム１３０及びスペーサ２００の、スペーサ２００のＺ軸方向の中央位置における部分断面を示している。
【００８７】
図８〜図９Ｂに示すように、バスバーフレーム１３０は、スペーサ２００の第一係合部２１１と係合することで、複数の蓄電素子１００とは反対側（Ｙ軸方向プラス側）への移動が規制される第一規制部１３４を有する。
【００８８】
また、バスバーフレーム１３０は、上述のように、スペーサ２００の第二係合部２１２と係合することで、複数の蓄電素子１００とは反対側（Ｙ軸方向プラス側）への移動が規制される第二規制部１３６を有する。
【００８９】
具体的には、例えば図８に示すように、Ｚ軸方向に並ぶ７つのスペーサ２００のうちの、端から１番目、４番目、及び７番目のスペーサ２００それぞれの第一係合部２１１に係合する位置に、第一規制部１３４が備えられている。なお、それぞれのスペーサ２００は、上述のように、図４における奥側（Ｘ軸方向マイナス側）にも第一係合部２１１を有している。つまり、バスバーフレーム１３０は、３つのスペーサ２００が有する合計６つの第一係合部２１１に対応して、６つの第一規制部１３４を備えている。
【００９０】
本実施の形態では、第一規制部１３４は、孔を有する突出片としてバスバーフレーム１３０の端部に設けられており、当該孔に、スペーサ２００の側面から突出状に設けられた第一係合部２１１が挿入されることで、第一係合部２１１と係合する。
【００９１】
このように、バスバーフレーム１３０が有する１以上の第一係合部２１１のそれぞれが第一係合部２１１と係合し、これにより、バスバーフレーム１３０のＹ軸方向プラス側への移動が規制される。その結果、バスバーフレーム１３０が有する１以上の押さえ部１３１のそれぞれが、対応するバスバー３２に押し当てられた状態が維持され、各バスバー３２の位置が規制される（図７の（ｂ）参照）。
【００９２】
なお、第一規制部１３４と第一係合部２１１との係合の態様は上記態様に限定されない。例えば、第一係合部２１１が有する孔または凹部に、第一規制部１３４が有する突起または爪が挿入されることで、第一規制部１３４と第一係合部２１１とが係合してもよい。
【００９３】
また、バスバーフレーム１３０は、例えば、７つのスペーサ２００が有する計１４個の第一係合部２１１と係合するように、１４個の第一規制部１３４を有してもよい。
【００９４】
つまり、バスバーフレーム１３０には、複数のスペーサ２００のそれぞれが有する第一係合部２１１のうちの、選択された１以上の第一係合部２１１に係合するように、１以上の第一規制部１３４を設ければよい。従って、例えば、蓄電装置１の構造、または、蓄電装置１が満たすべき仕様等に応じて第一規制部１３４の個数および位置を決定することも可能である。
【００９５】
また、バスバーフレーム１３０において、第二規制部１３６は、図９Ａおよび図９Ｂに示すように、スペーサ２００のバスバーフレーム１３０側の面に設けられた第二係合部２１２に対応する位置に配置されている。
【００９６】
つまり、第一規制部１３４及び第二規制部１３６は、第一方向（Ｚ軸方向）と交差する第二方向（Ｘ軸方向）に並び、かつ、バスバー３２を挟んで互いに反対側に配置されている。
【００９７】
第一規制部１３４に対してこのような位置に配置された第二規制部１３６は、第二係合部２１２と係合し、これにより、バスバーフレーム１３０のＹ軸方向プラス側への移動が規制される。
【００９８】
つまり、第一規制部１３４及び第二規制部１３６は、ともに、バスバーフレーム１３０のＹ軸方向プラス側への移動を規制するための部位として機能する。その結果、例えば、第一規制部１３４及び第二規制部１３６の間に位置するバスバー３２は、バスバーフレーム１３０が有する１以上の押さえ部１３１によってバランスよく押さえられる。
【００９９】
これにより、例えば、蓄電素子１００の電極端子（１０２または１０３）と接合される際におけるバスバー３２の位置規制がより安定的かつ精度よく行われる。
【０１００】
なお、第一規制部１３４及び第二規制部１３６の並び方向は、Ｘ軸方向と一致していなくてもよい。つまり、第一規制部１３４及び第二規制部１３６は、複数の蓄電素子１００の並び方向に対して交差する方向に並び、かつ、バスバー３２を挟んで互いに反対側に配置されていれば、上述の、バスバー３２がバランスよく押さえられる効果を得ることは可能である。
【０１０１】
また、第一規制部１３４は、複数の蓄電素子１００の、第二方向（Ｘ軸方向）における側方に位置し、第二規制部１３６は、複数の蓄電素子１００の、電極端子（１０２、１０３）が配置された面側の側方に位置している。これにより、複数の蓄電素子１００の周囲の空間を有効に利用して、バスバーフレーム１３０にバスバー３２をバランスよく押さえさせることができる。
【０１０２】
また、本実施の形態では、例えば図４及び図６等から分かるように、第二規制部１３６は、第二方向（Ｘ軸方向）における、複数の蓄電素子１００の安全弁１０４と電極端子（１０２または１０３）との間の位置に配置されている。つまり、蓄電装置１において、各蓄電素子１００の安全弁１０４からのガスの放出の妨げとなり難い位置に、第二規制部１３６と第二係合部２１２とが配置される。
【０１０３】
ここで、本実施の形態では、第二規制部１３６は、バスバーフレーム１３０をＹ軸方向に貫通する孔を有し、当該孔に、スペーサ２００の、バスバーフレーム１３０側の面から突出状に設けられた第二係合部２１２が挿入されることで、第二係合部２１２と係合する。
【０１０４】
より詳細には、図９Ｂに示すように、第二係合部２１２は、先端部の外径が他よりも大きく形成された突起であり、弾性変形によって当該外径を縮め易くするための溝を有している。この先端部が外径を縮めながら第二規制部１３６の孔に挿入され、挿入の完了後に弾性によって元の外径に戻ることで、先端部が第二規制部１３６の孔から抜け出せない構造を有している。
【０１０５】
なお、バスバーフレーム１３０は、複数のスペーサ２００のそれぞれが有する第二係合部２１２のうちの選択した１以上の第二係合部２１２に係合するように、１以上の第二規制部１３６を設ければよい。従って、例えば、蓄電装置１の構造、または、蓄電装置１が満たすべき仕様等に応じて第二規制部１３６の個数および位置を決定することも可能である。
【０１０６】
また、第二規制部１３６と第二係合部２１２との係合の態様は上記態様に限定されない。例えば、第二係合部２１２が有する孔または凹部に、第二規制部１３６が有する突起または爪が挿入されることで、第二規制部１３６と第二係合部２１２とが係合してもよい。
【０１０７】
本実施の形態に係る蓄電装置１では、さらに、このような第一規制部１３４および第二規制部１３６のペアは、バスバーフレーム１３０において、第一方向（Ｚ軸方向）に複数並んで配置されている。
【０１０８】
具体的には、図６および図８等から分かるように、バスバーフレーム１３０のＸ軸方向プラス側に、３組の第一規制部１３４および第二規制部１３６がＺ軸方向に並んで配置されている。また、バスバーフレーム１３０のＸ軸方向マイナス側にも、３組の第一規制部１３４および第二規制部１３６がＺ軸方向に並んで配置されている。
【０１０９】
これにより、本実施の形態において５つ配置されているバスバー３２のそれぞれを、バスバーフレーム１３０が有する複数の押さえ部１３１によってバランスよく複数の蓄電素子１００の方向に押さえることができる。その結果、各バスバー３２の、蓄電素子１００の電極端子（１０２または１０３）と接合される際における位置規制がより安定的かつ精度よく行われる。
【０１１０】
なお、第二規制部１３６の個数および位置と、第一規制部１３４の個数および位置とは互いに独立して決定されてもよい。また、バスバー３２を挟んで配置された一対の第一規制部１３４及び第二規制部１３６それぞれの移動を規制する部材は、同一であってもよく、異なっていてもよい。つまり、第一規制部１３４及び第二規制部１３６の少なくとも一方が、スペーサ２００等の他の部材によって移動が規制されることで、バスバーフレーム１３０の移動が規制され、その結果、バスバー３２の位置規制（位置決め）が可能となる。
【０１１１】
ここで、本実施の形態に係るバスバーフレーム１３０は、図９Ａおよび図９Ｂに示すように、各種の配線（信号線及び電力線など）が収容される配線収容部１３７を有している。具体的には、バスバーフレーム１３０は、周縁部分に凹状に形成された通路部分と、通路部分の上方の開口を閉じる蓋部１３９を有している。つまり、通路部分の内部空間が、配線収容部１３７と機能する。
【０１１２】
蓋部１３９は、ヒンジ１３８によって回動可能に、バスバーフレーム１３０の本体に取り付けられている。
【０１１３】
このような構成のバスバーフレーム１３０を、蓄電素子１００の集合体に取り付ける場合、例えば、各蓄電素子１００に配置されたセンサと電気機器４０とを接続するリード線等の配線が、配線収容部１３７に収容され、蓋部１３９が閉じられる。
【０１１４】
これにより、蓄電素子１００の集合体の周辺に数多く存在する配線が、バスバーフレーム１３０の取り付け作業の妨げとなることが抑制され、このことは、蓄電装置１の生産効率の向上に寄与する。
【０１１５】
また、バスバーフレーム１３０が蓄電素子１００の集合体に対して取り付けられた後に、バスバーフレーム１３０によって位置規制された各バスバー３２に対する溶接作業が行われる。
【０１１６】
この溶接作業の際、各種の配線は、蓋部１３９によって閉じられた配線収容部１３７に収容されているため、例えば溶接によって発生する火花等から各種の配線が保護される。
【０１１７】
以上説明したように、本実施の形態に係る蓄電装置１は、第一方向（Ｚ軸方向）に並んで配置された複数の蓄電素子１００を備える。蓄電装置１は、複数の蓄電素子１００のうちの少なくとも２つの蓄電素子１００それぞれの電極端子（１０２または１０３）と接続されるバスバー３２と、バスバー３２に、複数の蓄電素子１００とは反対側から当接する押さえ部１３１を有するバスバーフレーム１３０とを備える。
【０１１８】
バスバーフレーム１３０は、蓄電装置１が備える、バスバーフレーム１３０以外の部材である他の部材によって、複数の蓄電素子１００とは反対側（Ｙ軸方向プラス側）への移動が規制される規制部を有する。つまり、バスバーフレーム１３０は、バスバー３２を基準として複数の蓄電素子１００と反対側への移動が規制される規制部を有する。
【０１１９】
規制部は、本実施の形態において、第一規制部１３４及び第二規制部１３６のそれぞれ、または、これらの組み合わせによって実現されている。また、上記他の部材は、本実施の形態では、１以上のスペーサ２００であり、第一規制部１３４及び第二規制部１３６の少なくとも一方と係合するスペーサ２００は、第一スペーサの一例である。
【０１２０】
この構成によれば、蓄電装置１の製造時において、バスバーフレーム１３０により、バスバー３２を、正規の位置において正規の姿勢に維持することができる。また、バスバーの接合作業（レーザ溶接等）を精度よく実行することもできる。
【０１２１】
従って、蓄電素子１００の電極端子（１０２または１０３）に対してバスバー３２を接合しやすくする蓄電装置１を得ることができる。また、バスバー３２と、蓄電素子１００の電極端子（１０２または１０３）との接合の信頼性が高い蓄電装置１を得ることもできる。
【０１２２】
また、バスバーフレーム１３０は、各バスバー３２と他の部材との絶縁、蓄電装置１内に配置される各種の配線等の保護、及び、各バスバー３２の位置規制、という少なくとも３つの機能を備えることが可能である。これより、蓄電装置１の部品点数の削減、蓄電装置１の生産効率の向上、蓄電装置１の生産コストの抑制、または、蓄電装置１の小型化等の効果が得られる。
【０１２３】
ここで、ボルト及びナットにより電極端子とバスバーとを締結するタイプの蓄電装置の場合、例えば蓄電装置の使用時に与えられる振動等に起因して当該締結に緩みが生じ得る。一方、本実施の形態に係る蓄電装置１のように、レーザ溶接等の溶接により電極端子とバスバー３２とを接合する場合、当該接合の緩みは生じ難く、ボルト及びナットによる締結よりも、電極端子とバスバー３２との接合の信頼性は高くなる。
【０１２４】
しかし、電極端子とバスバー３２とを溶接によって接合する場合、電極端子とバスバー３２とは面接触した状態で溶接されるため、溶接の際に、バスバー３２を電極端子に対してどのように位置規制（位置決め）するかが問題となる。この問題の解決策としては、バスバー３２の位置規制のための専用の治具を用いること、および、バスバー３２を仮固定する専用部品を蓄電装置１に組み込むこと等が考えられるが、これらの策は、蓄電装置１の生産効率等の観点からは好ましいとはいえない。
【０１２５】
そこで、本実施の形態に係る蓄電装置１では、上述のように、隣り合うバスバー３２間の絶縁等の役目を担うバスバーフレーム１３０に押さえ部１３１を設ける。これにより、電極端子とバスバー３２との溶接時において、バスバーフレーム１３０にバスバー３２の位置規制を行わせることができる。その結果、蓄電装置１の効率的な生産と、バスバー３２および電極端子の接合の信頼性の向上とを両立させることができる。
【０１２６】
なお、蓄電装置１は、図２〜図９Ｂに示す蓄電ユニット３０とは異なる構成の蓄電ユニットを備えてもよい。そこで、以下に、実施の形態に係る蓄電ユニット３０に関する変形例を、上記実施の形態との差分を中心に説明する。
【０１２７】
（実施の形態の変形例）
図１０は、実施の形態の変形例に係る蓄電ユニット３１の構成概要を示す斜視図である。
【０１２８】
図１１は、実施の形態の変形例に係る蓄電ユニット３１の分解斜視図である。
【０１２９】
本変形例に係る蓄電ユニット３１は、上記実施の形態に係る蓄電ユニット３０と同じく、１以上の蓄電素子１００を有し、蓄電ユニット３０に換えて蓄電装置１が備えることができる蓄電ユニットである。
【０１３０】
つまり、蓄電ユニット３１は、正極外部端子及び負極外部端子が配置された外装体に収容され、外部からの電気を充電し、また外部へ電気を放電することができる。なお、蓄電ユニット３１を収容する外装体の形状および構造等に特に限定はないが、上記実施の形態に係る外装体１０と同じく、ポリカーボネートまたはＰＰ等の絶縁性の樹脂などで構成される。
【０１３１】
本実施の形態では、蓄電ユニット３１は、１２個の蓄電素子１００と、１１個のスペーサ２５０とを有する。これら蓄電素子１００とスペーサ２５０とは交互に並べられ、このようにして形成された蓄電素子１００の集合体は、一対の挟持部材２９０によって、並び方向（Ｚ軸方向）の両側から挟み込まれて保持されている。
【０１３２】
また、これら複数の蓄電素子１００には、バスバー４３２が配置されたバスバーフレーム４３０が取り付けられており、複数の蓄電素子１００は、複数のバスバー４３２により、直列または並列に接続されている。本変形例では、並列に接続された３つの蓄電素子１００からなるグループが４つ形成され、これら４つのグループが直列に接続されている。
【０１３３】
なお、蓄電ユニット３１が有する蓄電素子１００の個数および電気的な接続の態様は上記説明された個数および接続の態様に限定されない。また、蓄電ユニット３１が有する蓄電素子１００の種類は、上記実施の形態に係る蓄電ユニット３０が有する蓄電素子１００と同一であってもよく、異なっていてもよい。
【０１３４】
本変形例に係るバスバーフレーム４３０は、上記実施の形態に係るバスバーフレーム１３０と同じく、ＰＰ等の絶縁性の樹脂などにより構成されている。また、バスバーフレーム４３０は、バスバー４３２間における絶縁、及び、各バスバー４３２の位置規制を行うことができる部材である。
【０１３５】
バスバーフレーム４３０は、バスバー４３２に、複数の蓄電素子１００とは反対側から当接する押さえ部４３１を有する。本変形例では、バスバーフレーム４３０に配置される５つのバスバー４３２のそれぞれに、少なくとも２つの押さえ部４３１が当接するように、押さえ部４３１が配置されている。
【０１３６】
また、バスバーフレーム４３０は、バスバーフレーム４３０以外の部材である他の部材によって、複数の蓄電素子１００とは反対側への移動が規制される規制部４３４を有する。つまり、バスバーフレーム４３０は、バスバー４３２を基準として複数の蓄電素子１００とは反対側への移動が規制される規制部４３４を有する。本変形例では、上記他の部材はスペーサ２５０である。
【０１３７】
このような構成を有する蓄電ユニット３１は、特徴的な構成要素として、スペーサ２５０に配置された突出部２６０を有している。
【０１３８】
突出部２６０は、第一突出部の一例であり、バスバーフレーム４３０の規制部４３４と係合することで、バスバーフレーム４３０の、複数の蓄電素子１００とは反対側（Ｙ軸方向プラス側）への移動を規制することができる。その結果、バスバー４３２は位置規制（位置決め）され、この状態で、バスバー４３２と電極端子とがレーザ溶接等の溶接によって接合される。
【０１３９】
つまり、突出部２６０は、上記実施の形態に係る第一係合部２１１と共通する機能を有する構成要素である。
【０１４０】
本変形例に係る突出部２６０はさらに、拘束部材４００の位置を規制する機能を有している。拘束部材４００は、一対の挟持部材２９０を介して、複数の蓄電素子１００に拘束力を付与する部材である。
【０１４１】
具体的には、図１０に示すように、拘束部材４００は、突出部２６０と当接することで、突出部２６０を挟んで拘束部材４００とは反対側（Ｙ軸方向プラス側）への移動が規制される。つまり、突出部２６０が、拘束部材４００の位置決めのためのガイドとして機能する。
【０１４２】
これにより、蓄電ユニット３１を備える蓄電装置１の製造時において、拘束部材４００の位置決めを、治具等を用いずに行うことができ、その結果、蓄電装置１の生産効率の向上等の効果が奏される。
【０１４３】
また、図１０および図１１に示されるように、それぞれが突出部２６０を有する複数のスペーサ２５０が、蓄電素子１００を挟みながらＺ軸方向に並べられた場合、複数の突出部２６０がＺ軸方向に並べられる。
【０１４４】
つまり、一列に並ぶ複数の突出部２６０によって、拘束部材４００を規制するライン状の構造物が形成されるため、拘束部材４００をより安定的に位置決めすることができる。
【０１４５】
なお、図１０において点線で表される拘束部材４００の形状は一例であり、例えば、拘束部材４００の素材、または、蓄電ユニット３１を収容する外装体の形状等に応じて、拘束部材４００の形状が決定されてもよい。また、拘束部材４００の素材としては、例えばステンレスやアルミニウム等の金属が採用される。
【０１４６】
ここで、突出部２６０は、上述の、バスバーフレーム４３０の位置規制、及び、拘束部材４００の位置規制に加え、他のスペーサ２５０の位置規制を行う機能も有している。
【０１４７】
図１２は、実施の形態の変形例に係るスペーサ２５０の突出部２６０付近を示す拡大斜視図である。なお、図１２において蓄電素子１００の図示は省略されている。
【０１４８】
図１２に示すように、突出部２６０は、拘束部材４００側の第一壁部２６３と、バスバーフレーム４３０側の第二壁部２６４と、第一壁部２６３及び第二壁部２６４の間に設けられ、第一方向（Ｚ軸方向）に突出する突起２６１とを有する。また、第一壁部２６３と第二壁部２６４との間の突起２６１が存在しない空間によって、他の突出部２６０の突起２６１が挿入される挿入部２６２が形成されている。
【０１４９】
上記構成の突出部２６０を有するスペーサ２５０が、蓄電素子１００を挟んで第一方向（Ｚ軸方向）に２つ並べられた場合、一方のスペーサ２５０の突出部２６０は、他方のスペーサ２５０の突出部２６０に係合する。
【０１５０】
例えば図１２に示すように、隣り合う２つのスペーサ２５０を第一スペーサ２５０ａ及び第二スペーサ２５０ｂと表記し、それぞれの突出部２６０を、第一突出部２６０ａ及び第二突出部２６０ｂと表記すると、突出部２６０同士の係合は以下のように説明される。
【０１５１】
すなわち、第一スペーサ２５０ａ及び第二スペーサ２５０ｂを、１つの蓄電素子１００を挟んで配置した場合、第一突出部２６０ａの突起２６１は、第二突出部２６０ｂの挿入部２６２に挿入される。これにより、第一突出部２６０ａと第二突出部２６０ｂとが係合する。
【０１５２】
このような係合関係が、Ｚ軸方向に並べられる複数のスペーサ２５０間で成立し、これにより、複数のスペーサ２５０および複数の蓄電素子１００のＸＹ平面に平行な方向の相対的な移動が規制される。
【０１５３】
つまり、複数のスペーサ２５０それぞれが備える突出部２６０が、隣接する他の突出部２６０と係合することで、蓄電装置１の製造時（組み立て時）において、複数の蓄電素子１００の集合体を効率よくかつ精度よく形成することができる。また、蓄電装置１の使用時においても、例えば、蓄電素子１００間におけるズレの発生を抑制する効果が奏される。
【０１５４】
ここで、第一壁部２６３と第二壁部２６４との間には、当該突出部２６０の突起２６１、及び、挿入部２６２が存在し、かつ、第二壁部２６４には、バスバーフレーム４３０の規制部４３４を係合させる領域が存在する。
【０１５５】
図１３は、実施の形態の変形例における規制部４３４と突出部２６０とが係合している状態を示す拡大斜視図である。なお、図１３において蓄電素子１００の図示は省略されている。
【０１５６】
図１３に示すように、突出部２６０の第二壁部２６４は、突起２６１の外側（Ｘ軸方向プラス側）の側面よりも外側に突出している。そのため、第二壁部２６４には、バスバーフレーム４３０の規制部４３４の爪を係止することのできる領域が存在する。
【０１５７】
つまり、突出部２６０の第二壁部２６４は、突出部２６０と他の突出部２６０との係合、及び、突出部２６０と規制部４３４との係合の双方に利用される部位である。
【０１５８】
なお、本変形例に係るバスバーフレーム４３０が有する規制部４３４の数および位置は、上記説明の内容に限定されない。バスバーフレーム４３０が有する規制部４３４の数および位置は、上記実施の形態に係るバスバーフレーム１３０と同じく、蓄電ユニット３１を備える蓄電装置１の構造、または、蓄電装置１が満たすべき仕様等に応じて決定することも可能である。
【０１５９】
（他の実施の形態）
以上、本発明に係る蓄電装置について、実施の形態およびその変形例に基づいて説明した。しかしながら、本発明は、上記実施の形態およびその変形例に限定されるものではない。本発明の趣旨を逸脱しない限り、当業者が思いつく各種変形を上記実施の形態またはその変形例に施したものも、あるいは、上記説明された複数の構成要素を組み合わせて構築される形態も、本発明の範囲内に含まれる。
【０１６０】
例えば、バスバーフレーム１３０の規制部（第一規制部１３４または第二規制部１３６、以下同じ。）は、スペーサ２００以外の部材によって移動が規制されてもよい。バスバーフレーム１３０の規制部は、例えば、外装体１０の一部、外装体１０に配置された部品、蓄電素子１００、または蓄電素子１００の容器１１０に配置された部品等によって移動が規制されてもよい。このことは、上記変形例に係るバスバーフレーム４３０についても同じであり、突出部２６０が、スペーサ２５０ではなく、例えば蓄電素子１００に配置されていてもよい。
【０１６１】
つまり、バスバーフレーム１３０（４３０）の移動を規制する部材は、スペーサ２００（２５０）以外であってもよい。従って、蓄電ユニット３０（３１）において、スペーサ２００（２５０）は必須の構成要素ではない。
【０１６２】
また、バスバーフレーム１３０（４３０）の規制部は、スペーサ２００（２５０）等の他の部材との係合以外の態様で移動が規制されてもよい。例えば、バスバーフレーム１３０（４３０）の規制部とスペーサ２００（２５０）等の他の部材とが締結、接着、または溶着等されることで、バスバーフレーム１３０（４３０）の規制部の移動が、当該他の部材によって規制されてもよい。
【産業上の利用可能性】
【０１６３】
本発明は、複数の蓄電素子を備える蓄電装置等に適用できる。
【符号の説明】
【０１６４】
１  蓄電装置
１０  外装体
１１  第一外装体
１２  第二外装体
２１  正極外部端子
２２  負極外部端子
３０、３１  蓄電ユニット
３２、４３２  バスバー
３２ａ  凹部
４０  電気機器
１００  蓄電素子
１０２  正極端子
１０３  負極端子
１０４  安全弁
１１０  容器
１３０、４３０  バスバーフレーム
１３１、４３１  押さえ部
１３２  支持部
１３３  隔壁部
１３４  第一規制部
１３６  第二規制部
１３６ａ  貫通孔
１３７  配線収容部
１３８  ヒンジ
１３９  蓋部
１９０、２９０  挟持部材
２００、２５０  スペーサ
２１１  第一係合部
２１２  第二係合部
２５０ａ  第一スペーサ
２５０ｂ  第二スペーサ
２６０  突出部
２６０ａ  第一突出部
２６０ｂ  第二突出部
２６１  突起
２６２  挿入部
２６３  第一壁部
２６４  第二壁部
４００  拘束部材
４３４  規制部
【図１】
0006260487.tif 000002
【図２】
0006260487.tif 000003
【図３】
0006260487.tif 000004
【図４】
0006260487.tif 000005
【図５】
0006260487.tif 000006
【図６】
0006260487.tif 000007
【図７】
0006260487.tif 000008
【図８】
0006260487.tif 000009
【図９Ａ】
0006260487.tif 000010
【図９Ｂ】
0006260487.tif 000011
【図１０】
0006260487.tif 000012
【図１１】
0006260487.tif 000013
【図１２】
0006260487.tif 000014
【図１３】
0006260487.tif 000015